(57)【要約】【課題】プラスターボードにディスプレイ装置を装着できるようなブラケットの取り付け方法を提供する。【解決手段】プラスターボード２ａにディスプレイ装置装着用のブラケット１を取り付ける方法において、プラスターボード２ａに室内空間Ｓ１側から壁面内空間Ｓ２側に貫通する貫通孔２０ａを設ける工程と、この貫通孔２０ａを介して壁内空間の奥方に設けられた壁内板２ｂの表面に壁面内装着部材３を取り付ける工程と、ブラケット１の壁面内装着部材挿入孔１１及びプラスターボード２ａの貫通孔２０ａを介して鍔部４０を有する表壁面装着部材４を挿入し、この表壁面装着部材４を壁面内装着部材３に結合させる工程とを設ける。そして、壁面内装着部材３などによってブラケット１をプラスターボード２ａ側に押圧し、ブラケット１とプラスターボード２ａとの摩擦力によってのブラケット１を取り付ける。【選択図】図３
2005290787.tif 000002
【特許請求の範囲】
【請求項１】
プラスターボードにディスプレイ装置を装着するためのブラケットを取り付けるブラケットの取り付け方法において、
前記プラスターボードに室内空間側から壁面内空間側に貫通する貫通孔を設ける工程と、
当該プラスターボードに設けられた貫通孔を介して前記壁内空間の奥方に設けられた壁内板の表面に壁面内装着部材を取り付ける工程と、
ブラケットの孔部及びプラスターボードの貫通孔を介して鍔部を有する表壁面装着部材を挿入し、この表壁面装着部材を壁面内装着部材に結合させる工程と、を設け、
前記壁面内装着部材の軸方向に表壁面装着部材を結合させることによって前記ブラケットをプラスターボード側に押圧し、当該ブラケットとプラスターボードとの摩擦力によってブラケットを取り付けるようにしたことを特徴とする平面状ブラケットの取り付け方法。
【請求項２】
前記壁面内装着部材が、アンカー軸上のスライド方向を規制するスライド規制部を設けてなるものである請求項１に記載のブラケットの取り付け方法。
【請求項３】
前記ブラケットが、プラスターボードとの接触面に滑り防止用の摩擦強化手段を設けてなるものである請求項１に記載のブラケットの取り付け方法。
【請求項４】
請求項１に記載されるブラケットの取り付け方法において、更に、前記ブラケットと床面との間に、内部にケーブルを収納する立脚部材を設けるようにしたブラケットの取り付け方法。
【発明の詳細な説明】
【技術分野】
【０００１】
本発明は、プラズマテレビや液晶テレビなどのような比較的大型なディスプレイ装置を装着するためのブラケット取り付け方法に関するものであり、より詳しくは、プラスターボードなどのような脆弱な壁面にこのようなブラケットを取り付ける方法に関するものである。
【背景技術】
【０００２】
近年、テレビなどのようなディスプレイ装置として、液晶テレビやプラズマテレビなどのような非常に薄型のディスプレイ装置が登場してきており、このようなディスプレイ装置を室内空間の壁面に取り付けて使用することが要望されるようになってきている。
【０００３】
ところで、このディスプレイ装置などのように比較的重い物をプラスターボード（石膏ボード）などによって構成された壁面に取り付ける場合、下記の特許文献１に記載されるような方法が知られている。
【０００４】
この特許文献１は、重量物として手摺用ブラケットをプラスターボードへ取り付ける方法に関するもので、プラスターボードに手摺用ブラケットを取り付ける場合、そのプラスターボードの奥方に設けられたコンクリート壁内に比較的長い孔を空け、この孔にアンカー部材を埋め込んでプラスターボード側から下地材を取り付け、更に、この下地材に手摺側の固定部材を取り付けるようにしたものである。
【特許文献１】特開２００１−３４９０３０号公報
【発明の開示】
【発明が解決しようとする課題】
【０００５】
しかしながら、このような特許文献１に記載される取り付け方法は、コンクリート壁に孔を空けてアンカー部材を差し込むものであるため、コンクリート壁を有していない壁面構造や、アンカー部材を奥深く埋め込むことのできない壁面構造に対しては、このような工法を採用することができない。
【０００６】
このため、従来では、ディスプレイ装置などのような比較的重い物を装着する場合、その壁面内に存在する縦桟の位置に合わせてディスプレイ装置を取り付け、もしくは、壁紙やプラスターボードを剥がして壁面内に縦桟などの追加工事を行い、この補強された縦桟などにディスプレイ装置を取り付けるようにしていた。しかし、このように縦桟の存在している位置にディスプレイ装置を取り付ける場合は、その取り付け位置を確認することが困難で、ディスプレイ装置の装着位置についても拘束されるという問題があり、また、縦桟などの追加工事をする場合は、工事が大掛かりになりすぎてしまうという問題があった。
【０００７】
そこで、本発明は上記課題に着目してなされたもので、プラスターボードの奥方にコンクリートなどのような硬い部材を有していない壁面構造や、壁面内装着部材を深く埋め込むことのできない壁面構造に対しても比較的簡単で、かつ、安価に重量物であるディスプレイ装置を装着できるようなブラケットの取り付け方法を提供することを目的とするものである。
【課題を解決するための手段】
【０００８】
本発明は上記課題を解決するために、プラスターボードにディスプレイ装置を装着するためのブラケットを取り付けるブラケットの取り付け方法において、前記プラスターボードに室内空間側から壁面内空間側に貫通する貫通孔を設ける工程と、当該プラスターボードに設けられた貫通孔を介して前記壁内空間の奥方に設けられた壁内板の表面に壁面内装着部材を取り付ける工程と、ブラケットの孔部及びプラスターボードの貫通孔を介して鍔部を有する表壁面装着部材を挿入し、この表壁面装着部材を壁面内装着部材に結合させる工程とを設け、前記壁面内装着部材の軸方向に表壁面装着部材を結合させることによって前記ブラケットをプラスターボード側に押圧し、当該ブラケットとプラスターボードとの摩擦力によってのブラケットを取り付けるようにしたものである。
【０００９】
このようにすれば、壁面内装着部材の軸方向の引っ張りによってブラケットをプラスターボードに強く押し付けることができ、平面状に構成されたブラケットとプラスターボードとの摩擦力を大きくして比較的重いディスプレイ装置を支えることができるようになる。
【００１０】
また、壁面内装着部材として、アンカー軸上のスライド方向を規制するスライド規制部を設けるものを使用する。
【００１１】
このようなものを用いれば、ボルトやナットなどを用いて装着する場合に比べ、非常に簡単に表壁面装着部材を取り付けることができ、また、ナットを締め過ぎてしまうことによるプラスターボードの破損をなくすことができるようになる。
【００１２】
更に、このようなブラケットとして、プラスターボードとの接触面に滑り防止用の摩擦強化手段を設ける。
【００１３】
このようなものを用いれば、ブラケットに加わる下方向へ摩擦を大きくすることができ、より大きな荷重に耐えることができるようになる。
【００１４】
加えて、このような平面状ブラケットの取り付ける場合、ブラケットと床面との間に、内部にケーブルを収納する立脚部材を設けるようにする。
【００１５】
このようにすれば、プラズマテレビや液晶テレビなどのアンテナケーブルや電源ケーブルなどを内部に収納して見栄えを良くすることができるばかりでなく、この立脚部材の縦方向の強度によってブラケットの下方向への荷重を支えることができるようになる。
【発明の効果】
【００１６】
本発明によれば、プラスターボードにディスプレイ装置を装着するための平面状のブラケットを取り付けるブラケットの取り付け方法において、前記プラスターボードに室内空間側から壁面内空間側に貫通する貫通孔を設ける工程と、当該プラスターボードに設けられた貫通孔を介して前記壁内空間の奥方に設けられた壁内板の表面に壁面内装着部材を取り付ける工程と、ブラケットの孔部及びプラスターボードの貫通孔を介して鍔部を有する表壁面装着部材を挿入し、この表壁面装着部材を壁面内装着部材に結合させる工程とを設け、前記壁面内装着部材の軸方向に表壁面装着部材を結合させることによって前記ブラケットをプラスターボード側に押圧し、当該ブラケットとプラスターボードとの摩擦力によってのブラケットを取り付けるようにしたので、壁面内装着部材の軸方向の引っ張りによってブラケットをプラスターボードに強く押し付けることができ、平面状に構成されたブラケットとプラスターボードとの摩擦力を大きくして比較的重いディスプレイ装置を支えることができるようになる。
【発明を実施するための最良の形態】
【００１７】
以下、本発明の一実施の形態について図面を参照して説明する。図１は、プラズマテレビや液晶テレビなどのようなディスプレイ装置を装着するためのブラケット１をプラスターボード２ａに取り付けた状態における断面図であり、図２は、そのブラケット１の取り付けに際して使用される壁面内装着部材３及び表壁面装着部材４を示したものである。また、図３は、このようなブラケット１をプラスターボード２ａの表面に取り付ける際の分解斜視図を示したものであり、図４、図５は、それぞれブラケット１の正面図・側面図、及び、立脚部材７の斜視図を示したものである。また、図６は、比較的軽いディスプレイ装置を装着する場合に使用されるアンカー部材５を示したものである。
【００１８】
この実施の形態におけるブラケット１取り付け構造は、図１に示すように、室内空間Ｓ１側に設けられたプラスターボード２ａと、そのプラスターボード２ａの奥方の壁面内空間Ｓ２を挟んで設けられる壁内板２ｂとを有する壁面構造において使用されるもので、比較的薄型の図示しないディスプレイ装置を装着するための平面状のブラケット１をプラスターボード２ａの表面に取り付け、主として、そのブラケット１とプラスターボード２ａとの面接触による摩擦によって重量物であるディスプレイ装置を支えられるようにしたものである。そして、この実施の形態においては、ブラケット１とプラスターボード２ａとの摩擦力を大きくするために、軸方向にのみ引っ張り合う壁面内装着部材３及び表壁面装着部材４を設け、この壁面内装着部材３及び表壁面装着部材４によってブラケット１を壁内板２ｂ側に引き込み、プラスターボード２ａの反発圧によってブラケット１をプラスターボード２ａに強く押しつけるようにしたものである。以下、本実施の形態のブラケット１の取り付け構造及び取り付け方法などについて詳細に説明する。
【００１９】
このブラケット１が取り付けられる壁面構造は、一般の木造住宅などにおいて使用されているように、プラスターボード２ａの奥方に壁内板２ｂを設けて構成されるもので、図３に示すように、プラスターボード２ａの奥方の壁内板２ｂに上下方向の縦桟２ｃを設け、この縦桟２ｃによって所定の壁面内空間Ｓ２を設けてプラスターボード２ａを取り付けるようにしたものである。一般に、この壁内板２ｂは、隣接する部屋を間仕切るための木製の間仕切壁や、外壁材を取り付けるための木製の外壁取付板などによって構成される。また、このような縦桟２ｃは木製の角材又はスチール製Ｃ型アングルによって構成される。このような壁面構造において、縦桟２ｃの存在する位置にディスプレイ装置装着用のブラケット１を取り付ける場合は、直接縦桟２ｃにビスを打ち込むことによってブラケット１を取り付けることができるが、このような縦桟２ｃの存在しない位置においてブラケット１を取り付ける場合は、比較的脆弱なプラスターボード２ａだけでその重い荷重に耐えることができない。このため、以下には縦桟２ｃの存在しない位置にブラケット１を取り付ける場合について説明する。
【００２０】
ディスプレイ装置を装着するためのブラケット１は、ディスプレイ装置の大きさに対応した平板状の金属板によって構成されるもので、図４に示すように、その平面内に複数の小さいアンカー部材挿入孔１０と、これよりも内径の大きい壁面内装着部材挿入孔１１と、後述する立脚部材７を取り付けるための立脚部材取付孔１２とを設ける。このアンカー部材挿入孔１０は、図６に示すようなアンカー部材５を用いて比較的軽いディスプレイ装置を取り付ける場合に使用される。
【００２１】
このアンカー部材５は、図６に示すように、軸部５０の先端に開脚部５１を有する可撓性の樹脂によって形成されるもので、この軸部５０上に複数の逆行防止突起５２ａからなるスライド規制部５２を設ける。そして、このスライド規制部５２により表壁面装着部材６のスライド方向を挿入方向にのみ規制するようにしている。また、この軸部５０の先端に設けられる開脚部５１は、プラスターボード２ａに空けられた貫通孔２０ａに挿入された後、軸部５０を引き戻すことによってそのフィン５１ａを開脚させるようにしたものであり、他端から表壁面装着部材６を挿入して貫通孔２０ａ内に取り付けることによりその開脚状態を固定するようにしたものである。なお、このアンカー部材５はフィン５１ａによってプラスターボード２ａを挟み込むものであるため、この軸部５０方向に大きな荷重が作用するとそのフィン５１ａによってプラスターボード２ａの裏側を破損してしまう危険性がある。このため、主として比較的荷重の掛からないようなディスプレイ装置を装着する場合に使用される。
【００２２】
一方、壁面内装着部材３は、図２の右側に示すように、ハット状の頭部３０に軸部３１を設けて構成されるもので、アンカー部材５と同様に可撓性の樹脂によって形成される。この軸部３１は、その外周面に表壁面装着部材４の抜けを防止するための複数の逆行防止突起３２ａを備えたスライド規制部３２を設け、また、そのスライド規制部３２の内側中心部分に軸方向に貫通する軸孔３３を設ける。この軸孔３３は、壁面内装着部材３の頭部３０近傍にまで設けられ、ビスを貫通させてその先端部分を頭部３０から露出させ、壁内板２ｂにそのビスを取り付けられるようにしている。また、この頭部３０は、壁内板２ｂとの接触面３０ａを平面状に構成し、その接触面３０ａに接着剤を塗布して壁内板２ｂに取り付けられるようにしている。なお、比較的軸方向への荷重がかからないような場合には、この壁面内装着部材３は接着剤のみによって壁内板２ｂの表面に取り付けられるが、比較的重いディスプレイ装置を装着する場合は、軸方向への抜けを防止するために小さなビスを用いて補強される。
【００２３】
一方、この壁面内装着部材３に取り付けられる表壁面装着部材４は、同様に可撓性の樹脂によって形成されるもので、ハット状の鍔部４０と、プラスターボード２ａの貫通孔２０ａに嵌め込まれる円筒状の嵌込部４１とを有してなる。この嵌込部４１は、その内部に壁面内装着部材３のスライド規制部３２に対応した複数の逆行防止突起を設けた雌孔４２を有する。また、この嵌込部４１の外周部分は、プラスターボード２ａの貫通孔２０ａに内接しうるようにテーパー状に構成され、このテーパー面４３によって表壁面装着部材４をプラスターボード２ａの貫通孔２０ａに密着させて、ブラケット１の下方向への荷重を負担させるようにしている。そして、このような表壁面装着部材４を壁面内装着部材３に取り付ける際は、まず、ブラケット１を介して軸部３１をその雌孔４２に挿入し、軸部３１のスライド規制部３２を嵌め込む。そして、その後、表壁面装着部材４の嵌込部４１をプラスターボード２ａの貫通孔２０ａに押し込み、そのテーパー面４３によって貫通孔２０ａ内に密着させた状態でスライド規制部３２によってその嵌め込み状態を固定する。この際、直線的に表壁面装着部材４を押し込むので、プラスターボード２ａの破損具合を加減しながら押し込むことができる。すなわち、ボルトやナットなどのように螺旋状の締め付け動作を行うものを用いる場合は、その締め付け具合が分からず、プラスターボード２ａを破損してしまう可能性があるが、直線的に表壁面装着部材４を押し込むようにする場合は、このような破損の危険性がなく、安全に押し込むことができる。
【００２４】
このようにして取り付けられるブラケット１には、その裏面側に摩擦強化手段１３の一実施例である微小突起が設けられる。この微小突起は、ブラケット１をプラスターボード２ａに押し付ける際に僅かに壁面内に食い込ませうるようにしたもので、下方向への摩擦力を増大させて比較的重いディスプレイ装置の荷重にも耐えられるようにしたものである。なお、この摩擦強化手段１３は、微小突起に限らず、粘着テープやゴムなどを設けるようにしても良く、また、ブラケット１の裏面に粗面処理などを施すことなどによって実現するようにしても良い。但し、このような摩擦強化手段１３は、複数の壁面内装着部材挿入孔１１の間に設けるのが好ましい。すなわち、この壁面内装着部材挿入孔１１の近傍では表壁面装着部材４の鍔部４０によって壁内板２ｂへの押圧力が強くなるため、その面圧が大きくなる。このため、このような位置に摩擦強化手段１３を設ければ、効果的にブラケット１の摩擦力を大きくすることができる。
【００２５】
このように構成されたブラケット１の取り付け構造において、比較的軽量なディスプレイ装置を装着する場合は、アンカー部材５のみを用いてブラケット１が取り付けられ、また、比較的重いディスプレイ装置を装着する場合は、壁面内装着部材３、若しくは、壁面内装着部材３とアンカー部材５の両方を用いてブラケット１が取り付けられる。また、これよりも更に重いディスプレイ装置を装着する場合は、立脚部材７を用いて補強を行う。この立脚部材７の構造を図５に示す。
【００２６】
この立脚部材７は、ブラケット１と床面との間に設けられるもので、ベース部材７０と、このベース部材７０に爪部７３を介して取り付けられるカバー体７１とによって構成されるもので、ブラケット１の下方向の荷重を支えるための支持機能と、ブラケット１に取り付けられるディスプレイ装置の各種ケーブル類を収納する収納機能とを有する。そのうち支持機能は、ブラケット１及びプラスターボード２ａの表面にこの立脚部材７を取り付け、また、その下端部分を床面上に設けることによって実現され、そのベース部材７０の上下方向に設けられた間仕切壁７２及びカバー体７１とによって下方向の荷重を支持できるようにしている。また、収納機能は、この間仕切壁７２及びその上方を覆うカバー体７１によって形成されたケーブル収納空間７４によって実現され、このケーブル収納空間７４内に、例えば、電源ケーブルやアンテナケーブル、ビデオ再生録画装置などの入出力ケーブルなどを収納できるようにしている。
【００２７】
次に、このように構成された各種部材を用いてブラケット１をプラスターボード２ａの表面に取り付ける場合の作業工程について説明する。
【００２８】
まず、ディスプレイ装置をプラスターボード２ａに取り付ける場合、その取り付け位置を確認し、その確認された位置にディスプレイ装置装着用のブラケット１を位置決めする。ここで、確認された位置に縦桟２ｃが存在している場合は、ブラケット１を介してその縦桟２ｃに直接ビスなどを打ち込み、これによりブラケット１をプラスターボード２ａの表面側に固定する。
【００２９】
一方、確認された位置に縦桟２ｃが存在していない場合、すなわち、プラスターボード２ａの裏側が壁面内空間Ｓ２である場合は、その確認されたプラスターボード２ａの位置にドリルで貫通孔２０ａを空け、その貫通孔２０ａに壁面内装着部材３を挿入する。
【００３０】
この貫通孔２０ａを設ける作業において、ブラケット１に装着されるディスプレイ装置が比較的軽量な場合は、まず、ブラケット１のアンカー部材挿入孔１０に対応した壁面位置に貫通孔２０ａを空け、その貫通孔２０ａにアンカー部材５を挿入し、その奥方でフィン５１ａを開脚させる。そして、軸部３１を引っ張ることによってプラスターボード２ａの裏面側でフィン５１ａを開脚させ、表壁面装着部材４によってその開脚状態を維持させてブラケット１を固定する。
【００３１】
また、ブラケット１に装着されるディスプレイ装置が比較的重い場合は、ブラケット１の壁面内装着部材挿入孔１１に対応した位置に貫通孔２０ａを空け、その貫通孔２０ａに壁面内装着部材３を挿入する。この際、まず、ドライバーの先端部分に壁面内装着部材３の軸孔３３を挿入し、この状態でその頭部３０の接触面３０ａに接着剤を塗布した後、ドライバー及び専用工具を用いてこの壁面内装着部材３を所定の壁内板２ｃの表面位置に位置決めして取り付ける。そして、その後、適宜ビスをその軸孔３３に挿入して壁内板２ｂに止めて補強作業を行う。この際、ビスは壁内板２ｂの厚みに対応した比較的小さなものを使用する。
【００３２】
そして、このように壁面内装着部材３を壁内板２ｂに取り付けた後、ブラケット１を挟み込むようにして表壁面装着部材４の雌孔４２に壁面内装着部材３の軸部３１を挿入し、その鍔部４０をブラケット１の表面に押し付けて嵌め込み状態を固定する。以下、他の箇所についても同様に壁面内装着部材３を取り付け、表壁面装着部材４を介してブラケット１を挟み込むようにする。
【００３３】
そして、このような壁面内装着部材３を用いたブラケット１の取り付けによって、ブラケット１は軸部３１方向に引き込まれ、プラスターボード２ａの反発力によって高い面圧を維持し、この状態でプラスターボード２ａに取り付けられる。そして、その際、ブラケット１の裏面に設けられている摩擦強化手段１３によって下方への荷重を強化させる。
【００３４】
次に、このように取り付けられたブラケット１に対して、図示しないプラズマテレビや液晶テレビを取り付け、フックやステーなどを介して角度調整などを行う。
【００３５】
また、このように装着されるディスプレイ装置が更に重い場合は、そのブラケット１に対して立脚部材７の取り付け作業を行う。この立脚部材７の取り付けに際しては、まず、ベース部材７０に設けられた複数の立脚部材取付孔１２を選択してブラケット１にネジ止めした状態で壁面に適宜アンカー部材５などを用いて壁面に取り付ける。そして、このようにベース部材７０を取り付けた後、そのケーブル収納空間７４に電源ケーブルなどの各種ケーブル類を収納し、カバー体７１を取り付けてその上面をカバーする。
【００３６】
このように上記実施の形態によれば、プラスターボード２ａにディスプレイ装置装着用の平面状ブラケット１を取り付けるブラケット１の取り付け方法において、プラスターボード２ａに室内空間Ｓ１側から壁面内空間Ｓ２側に貫通する貫通孔２０ａを設ける工程と、プラスターボード２ａに設けられた貫通孔２０ａを介して前記壁内空間の奥方に設けられた壁内板２ｂの表面に壁面内装着部材３を取り付ける工程と、ブラケット１の壁面内装着部材挿入孔１１及びプラスターボード２ａの貫通孔２０ａを介して鍔部４０を有する表壁面装着部材４を挿入し、この表壁面装着部材４を壁面内装着部材３に結合させる工程とを設け、壁面内装着部材３の軸方向に表壁面装着部材４を結合させることによってブラケット１をプラスターボード２ａ側に押圧し、ブラケット１とプラスターボード２ａとの摩擦力によってのブラケット１を取り付けるようにしたので、主としてブラケット１とプラスターボード２ａとの摩擦力によって比較的重いディスプレイ装置を支えることができるようになる。
【００３７】
また、軸部３１上にスライド方向を規制するスライド規制部３２を有する壁面内装着部材３を用いたので、ボルトやナットなどを用いて装着する場合に比べ、軸方向にスライドさせるだけで簡単に表壁面装着部材４を取り付けることができる。また、ボルトとナットなどのように螺旋状にボルトを取り付けるようにする場合は、回転圧により壁面内装着部材３を離脱させたり締め付け具合によってプラスターボード２ａを破損させてしまったりする可能性があるが、上述のように直線状にスライドさせるだけで表壁面装着部材４を取り付けることができるので、力加減の把握がしやすくなり、プラスターボード２ａの破損を招くことがなくなる。
【００３８】
更に、このようなブラケット１として、プラスターボード２ａとの接触面３０ａに滑り防止用の摩擦強化手段１３を設けるようにしたので、ブラケット１に加わる下方向へ摩擦を大きくすることができ、大きな荷重に耐えることができるようになる。
【００３９】
加えて、ブラケット１と床面との間に、内部にケーブルを収納する立脚部材７を設けるようにしたので、プラズマテレビや液晶テレビなどのアンテナケーブルや電源ケーブルなどを収納して見栄えを良くすることができるばかりでなく、この立脚部材７によってブラケット１の下方向への荷重を支えることができるので、より大きな荷重に耐えることができるようになる。
【００４０】
なお、本発明は上記実施の形態に限定されることなく、種々の態様で実施することができる。
【００４１】
例えば、上記実施の形態では、比較的軽量なディスプレイ装置を装着する場合においては、アンカー部材５を用いるようにしているが、大型ディスプレイ装置の付け替えなどを考慮して、あらかじめ壁面内装着部材３を取り付けるようにしても良い。
【００４２】
また、上記実施の形態では、非常に重いディスプレイ装置を装着する場合には立脚部材７を取り付けるようにしたが、これに限らず、比較的軽いディスプレイ装置を装着する場合においても、このような立脚部材７を用いるようにしても良い。
【００４３】
さらに、上記実施の形態では、立脚部材７を床面に設けるようにしているが、必ずしも床面上に立脚部材７を起立させなければならないということはなく、例えば、壁面の下方に幅木などが存在する場合は、その幅木上に立脚部材７を設けるようにしても良い。また、立脚部材７と壁面との摩擦力によっても充分に下方向への荷重に耐えられる場合は、床面や幅木にまで立脚部材７を設けるようにしなくても良い。
【図面の簡単な説明】
【００４４】
【図１】本発明の一実施の形態を示すブラケット取り付け構造の断面図
【図２】同形態に使用される壁面内装着部材及び表壁面装着部材を示す図
【図３】同形態におけるブラケットの取り付け状態を示す分解斜視図
【図４】同形態に使用されるブラケットの詳細図
【図５】同形態に使用される立脚部材の詳細図
【図６】同形態に使用されるアンカー部材の使用状態図
【符号の説明】
【００４５】
１・・・ブラケット
２ａ・・・プラスターボード
２ｂ・・・壁内板
３・・・壁面内装着部材
４・・・表壁面装着部材
７・・・立脚部材
１０・・・アンカー部材挿入孔
１１・・・壁面内装着部材挿入孔
１２・・・立脚部材取付孔
１３・・・摩擦強化手段
２０ａ・・・貫通孔
７４・・・ケーブル収納空間
Ｓ１・・・室内空間
Ｓ２・・・壁面内空間
【図１】
2005290787.tif 000003
【図２】
2005290787.tif 000004
【図３】
2005290787.tif 000005
【図４】
2005290787.tif 000006
【図５】
2005290787.tif 000007
【図６】
2005290787.tif 000008